(57)【特許請求の範囲】
【請求項１】
予めフィルムがカメラ本体のスクロール室に巻き込まれており、撮影を終えたフィルムは順次カメラ本体のパトローネ室のパトローネ内に巻き戻すようにし、該パトローネは前記スクロール室とパトローネ室を覆うプラスチックにより成型された外殻部によって光密に覆われたレンズ付フィルムユニットにおいて、
前記外殻部は、前記パトローネ室よりも前記スクロール室側でかつ前記スクロール室よりも前記パトローネ室側の折り曲げ部で折り曲げ可能に構成されており、該折り曲げ部近傍のスクロール室側位置でかつ折り曲げ部の両端近傍位置に設けられた折り曲げ時に該外殻部をカメラ本体側に保持する係止部と、前記折り曲げ部との間で前記パトローネ室を挟む位置に設けられた折り曲げ時に前記カメラ本体側への係止状態が解除される係止部とにより、前記カメラ本体側に係止されていることを特徴とするレンズ付きフィルムユニット。
【発明の詳細な説明】
【０００１】
【産業上の利用分野】
本発明は、露光およびフィルム巻取機能を備えていて、予じめ装填された未露光フィルムに対し直ちに写真撮影を行うことの出来るレンズ付フィルムユニットに関する。
【０００２】
【従来の技術】
レンズ付フィルムユニットは、「撮りっきりカメラ」とも呼ばれている写真撮影の機能を備えたいわばフィルム一体型カメラのことであって、周知の如く装填されている一本のフィルムの撮影にのみ使用され、露光済のフィルムを取り出したあとカメラ本体は廃棄されていて、そのため、簡易な構造をもって低いコストで製造されている。
【０００３】
またカメラは多くの場合旅行等の外出先で購入し、使用されるのであるが、携行に便利であるとは言い難く、ｆ＝35mmの撮影レンズを備え外形も110mm×60mm×35mm程度で、ワイシャツの胸ポケットにも入らず不便をかこっていた。
【０００４】
【発明が解決しようとする課題】
しかし「撮りっきりカメラ」とは云いながら、最近撮影目的の多様化から、ストロボ発光装置の内蔵したレンズ付フィルムユニットの例のようにカメラ機能が高度化する傾向があり、そのためコストの上昇やカメラサイズの大型化が避けられなくなって来ている。
【０００５】
さらに資源を再利用する考え方から、「撮りっきりカメラ」を再使用の出来るカメラすなわちリユースカメラ化することも要望されるようになって来ている。
【０００６】
カメラをそのままの形で再使用することが出来るようにするためには、品質保証のためカメラの再チェックは当然のことながら必要であり、そして必要最小限の部材のみを交換すれば再使用（リユース）出来るカメラが要望されるようになって来ている。
【０００７】
すなわち、カメラをチェックすることなしにフィルムのみをつめかえて使用するようなことが無いようにするための手段をもったリユースカメラが要望されるようになって来ている。従って、パトローネをユーザーが簡単に取り出せ且つ、新しいパトローネを入れて組立てられてしまうと、光学系やストロボその他の品質基準に合わないカメラができてしまい問題となる。
【０００８】
もちろん、所定の場所（現像所やメーカー）ではパトローネが容易に取り出すことが出来、そのパトローネの交換によって信頼性が低下するようなことが無いものでなければならないし、資源再利用のための処理も容易でなければならない。
【０００９】
本発明はこれ等の点を改善した結果、カメラの機構の簡略化やスペースの活用によってコストの上昇を抑えてレンズ付フィルムユニットの裏蓋を係止する係止部の耐久性を向上し、リユース化を促進するレンズ付フィルムユニットの提供を目的としたものである。
【００１０】
【課題を解決するための手段】
上記目的は、予めフィルムがカメラ本体のスクロール室に巻き込まれており、撮影を終えたフィルムは順次カメラ本体のパトローネ室のパトローネ内に巻き戻すようにし、該パトローネは前記スクロール室とパトローネ室を覆うプラスチックにより成型された外殻部によって光密に覆われたレンズ付フィルムユニットにおいて、前記外殻部は、前記パトローネ室よりも前記スクロール室側でかつ前記スクロール室よりも前記パトローネ室側の折り曲げ部で折り曲げ可能に構成されており、該折り曲げ部近傍のスクロール室側位置でかつ折り曲げ部の両端近傍位置に設けられた折り曲げ時に該外殻部をカメラ本体側に保持する係止部と、前記折り曲げ部との間で前記パトローネ室を挟む位置に設けられた折り曲げ時に前記カメラ本体側への係止状態が解除される係止部とにより、前記カメラ本体側に係止されていることを特徴とするレンズ付きフィルムユニットによって達成される。
【００１２】
【実施例】
図１は本発明のレンズ付フィルムユニット（以後本カメラともいう）の外観を示したもので、本カメラには予め35mmフィルム（Ｊ135）を装填した形で提供され、撮影終了後には巻戻しをすることなくフィルムをカメラに収めたままの状態で現像所に送られてフィルムがカメラより取出され、フィルムの現像とプリントが行われる。
【００１３】
本カメラに使用される未露光のフィルムは後述する装填方法により装填されるが装填状態ではフィルムはパトローネからスプールに巻き付けられていて、撮影の都度巻上げによってパトローネ内に巻込まれるようになっている。従って現像所においては撮影済のフィルムを明室においてカメラから取出すことが出来る。
【００１４】
また撮影済フィルムの取出しは外殻部としての裏蓋の一部を折曲げることにより容易に可能であり、従ってカメラ部分についてのチェックを行い新たに未露光フィルムを装填して裏蓋を交換すれば再使用することが可能となる。
【００１５】
前記カメラに装填されるパトローネは、一般に使用されるパトローネ（ＪＩＳＫ7528）とは異なる外径がφ20.6mmのパトローネが用いられる。
【００１６】
その結果、撮影レンズを有した鏡胴部を除いてカメラの厚さを24mm前後に抑えることが可能となり、超薄型のコンパクトカメラを実現している。
【００１７】
本カメラはその外面の一部に、商品名や簡単な使用方法等を表示した厚紙製のカートン（紙カバー）を装着して提供される。
【００１８】
図２は本カメラの構成を示す展開図である。
【００１９】
10，20および30はそれぞれ本カメラの主要構成部材であるカメラ本体、前カバーおよび裏蓋であり、また40は内蔵されるストロボ発光装置であるストロボユニット、さらに50、60および70はそれぞれフィルム巻上、セクタチャージおよびフィルムカウンタの各機構である。
【００２０】
前記カメラ本体10は単体時においてフィルム巻上機構50ならびにセクタチャージ機構60、フィルムカウンタ機構70を構成する各部材が装着され、さらにセクタを収めるシャッタケース11が取付けられる。
【００２１】
前記シャッタケース11は両側部に突設した爪11Ａをカメラ本体10前面の係止部10Ａに係合して固定され、セクタを前記セクタチャージ機構60に連係させる。
【００２２】
さらに前記シャッタケース11の前面には焦点距離ｆ＝30mmの単玉レンズで絞りはＦ9.5である撮影用レンズ12が落し込まれ、ガイドピン11Ｂに係合する摺割13Ａを備えたレンズ押え13によってカバーされる。
【００２３】
前記のカメラ本体10とシャッタケース11は、前述の前カバー20、裏蓋30を含めて何れも若干の弾性を備える黒色艶消のプラスチック材によって成形されている。
【００２４】
一方前記ストロボユニット40は、カメラ本体10前面のガイドピン10Ｂと10Ｃにそれぞれ係合する基板上の穴40Ａと40Ｂを基準として装着支持される。
【００２５】
前記ストロボユニット40は一体とする上下の電池接片41をカメラ本体10上下のスリット穴10Ｄを挿通してカメラ本体10背面の電池室に突出させてストロボ充電電源としての単３電池である電池電源Ｅを挟持する。
【００２６】
また一体とするメインコンデンサＣは前記シャッタケース11下部に形成したコンデンサ室に格納される。
【００２７】
前記のレンズ押え13とストロボユニット40のカメラ本体10への固定一体化は、前記前カバー20のカメラ本体10への装着によって完成される。
【００２８】
前記前カバー20はカメラ本体10への装着に先立って予めその前面にファインダ対物レンズ21を落し込み、化粧カバー22の係合によって固定している。前記化粧カバー22は背面にガイドピン22Ａと４本の爪22Ｂを突設していて、それぞれを前カバー20前面の穴20Ａと４個所の係止部20Ｂに係合して取付けられる。
【００２９】
前記前カバー20はさらに背面にファインダの接眼レンズ23を係合して取付けた上でカメラ本体10の前面に装着される。
【００３０】
前記前カバー20は背面に穴20Ｃと爪20Ｄとさらに３個所の係止部20Ｅを備えていて、それぞれをカメラ本体10全面のガイドピン10Ｅと爪10Ｆおよび側面の係止部10Ｇに係合して取付けられる。
【００３１】
前記前カバー20のカメラ本体10への係合装着により、前記のレンズ押え13ならびにストロボユニット40がカメラ本体10に対して固定される。
【００３２】
前カバー20を装着した前記カメラ本体10は、その背面に形成したパトローネ室とスクロール室（何れも図示せず）にそれぞれパトローネＰ１と未露光フィルムＦの先端を係止されスプールＳ２が装填される。
【００３３】
前記フィルムＦの他端はパトローネＰ１内のスプールＳ１に係止されており、フィルム装填後パトローネ内のフィルムを一旦スプールＳ２によって巻上げても上記他端はスプールＳ１に係止されているのでパトローネＰ１内に撮影完了毎に巻込みが出来る。
【００３４】
フィルムＦを装填した前記カメラ本体10の背面には裏蓋30が装着されて前記フィルムＦの遮光ピント面位置への規制が保たれる。
【００３５】
前記裏蓋30は側面に係止用の穴30Ｃと30Ｄと30Ｅを備えていて、カメラ本体10への装着に当り、穴30Ｃと30Ｄと30Ｅがカメラ本体10の爪10Ｋと10Ｌと10Ｍに係合して固定される。
【００３６】
裏蓋30の装着後所定のフィルム巻上操作が行われて撮影可能の画面がセットされ、図１に示したカートンを装着して完成される。
【００３７】
ここで裏蓋30のカメラ本体10への装着について更に説明を行なう。
【００３８】
図５は本カメラを背面側より見た斜視図で裏蓋とカメラ本体のフック係止を判りやすくするため、主な所を重点的に示したものである。
【００３９】
図５において、Ａ１，Ｂ１，Ｃ１，は裏蓋30をカメラ本体10の３ケ所に係止して取り付けるフック係止部を示している。なお「折り曲げ時に外殻部をカメラ本体側に保持する係止部」は、係止部Ａ１、Ｂ１であり、「折り曲げ時にカメラ本体側への係止状態が解除される係止部」は係止部Ｃ１である。これら３ケ所のフック係止部のうちＡ１，Ｂ１は裏蓋に設けた後述するパトローネを取り出す時に裏蓋を折り曲げる折り曲げ部である溝32の近傍の上下で勿論、溝に対して係止部Ｃ１とは逆の側（スクロール室側）に設けられたカメラ本体10に裏蓋30を係止するフック係止部である。そしてフック係止部Ａ１，Ｂ１は対向した位置に対となって設けられていて、矢印で示すその係止方向のうちＸとＺ方向は同方向でＹ方向は互に反対方向の内側へ向く方向となっていて裏蓋30をカメラ本体10に係止している。
【００４０】
また、フック係止部Ｃ１は右位置のほぼ中央でカメラ本体10に裏蓋30を係止するフック係止部である。そして係止部Ｃ１は矢印で示すその係止方向のうちＸ方向はフック係止部Ａ１，Ｂ１と同様に内側に向く方向となっていて裏蓋30をカメラ本体10に係止している。このように、裏蓋30はカメラ本体10に少なくとも３ケ所で、カメラの内側に向く３方向の係止方向に係止されている。
【００４１】
フック係止部Ａ１，Ｂ１，Ｃ１がこの様な位置関係にあるため裏蓋30はカメラ本体10にバランスよく装着されることになり、後述するパトローネの取り出し時にフック係止部Ｃ１のフック係止のみを外すことにより裏蓋30を溝32で折り曲げた際に、裏蓋30は溝32より左側の２ケ所のフック係止部Ａ１，Ｂ１により本体10にフック係止されているので裏蓋30は溝32の位置で容易に折り曲げることが出来る。
【００４２】
図６は、本カメラからのフィルムの取り出しを示す図である。図６において、裏蓋30の穴30Ｃはカメラ本体10の爪10Ｋに係合しているが、この穴あるいは係止部と爪との係合部に先端の尖ったマイナスドライバ状の金具を入れてこの係合を外し、裏蓋30の他の穴とカメラ本体10の他の爪との係合部はそのままとし、裏蓋30を裏蓋30の溝32より折り曲げて裏蓋30をIの状態からIIの状態に押し広げる。そして、撮影済みのフィルムが巻き込まれたパトローネＰ１を、カメラ本体10から矢印Ｂ方向に取り出すことになる。
【００４３】
このように本カメラにおいては裏蓋とカメラ本体とのフック係止部３ケ所のうちの１ケ所のフック係止を外し裏蓋を溝部で折り曲げてパトローネ室側を開放することによってパトローネは容易に取り出せるようになっている。この一ケ所はラボによって容易に開けられる。しかし、残り２ケ所は原則不可能であることが望ましい。
【００４４】
図示しないが、残り２ケ所は、特定の部材を押し込んで外さないと、本体側の係合部が破壊され、使いものにならなくなる構成、特別な治具（メーカーのみが保有）でないと開放できない機構とすることができる。
【００４５】
図７は、別の実施例を示す図である。
【００４６】
図７は図５の場合と同様に本カメラを背面側より見た斜視図で裏蓋とカメラ本体のフック係止を判りやすくするため、図５の場合と同様に主な所を重点的に示したものである。
【００４７】
図７において、Ａ２，Ｂ２，Ｃ２，Ｄは裏蓋30をカメラ本体10の４ケ所に係止して取り付けるフック係止部を示している。これら４ケ所のフック係止部のうちＡ２，Ｂ２は図５の場合と同様に裏蓋に設けたパトローネを取り出す時に裏蓋を折り曲げる溝32の近傍の上下で、カメラ本体10に裏蓋30を係止するフック係止部である。なお、本カメラからのパトローネの取り出しは図６において説明した方法と全く同じである。そしてフック係止部Ａ２，Ｂ２は図５の場合と同様に対向した位置に対となって設けられていて、矢印で示すその係止方向のうちＸとＺ方向は同方向でＹ方向は互に反対方向の内側へ向く方向となっていて裏蓋30をカメラ本体10に係止している。
【００４８】
また、フック係止部Ｃ２，Ｄは左右位置のほぼ中央でカメラ本体10に裏蓋30を係止するフック係止部である。そして係止部Ｃ２，Ｄはフック係止部Ａ２，Ｂ２と同様に対向した位置に対となって設けられていて、矢印で示すその係止方向のうちＹとＺ方向は同方向でＸ方向は互いに反対方向の内側へ向く方向となっていて裏蓋30をカメラ本体10に係止している。
【００４９】
前述のように、フック係止部Ａ２，Ｂ２とＣ２，Ｄはそれぞれ対となっていて、それぞれ対の係止方向のうちフック係止部Ａ２，Ｂ２のＹ方向、フック係止部Ｃ２，ＤのＸ方向は互に逆の内側へ向く方向になっていてフック係止部Ａ２，Ｂ２とＣ２，Ｄを通る線はほぼ直角に交叉している。そして、前記フック係止部Ａ２，Ｂ２のＹ方向、フック係止部Ｃ２，ＤのＸ方向は係止方向が互に逆の内側へ向く方向になっているが前記直角に交叉した位置にあるフック係止部はＸ方向、Ｙ方向の両方向に更にフック係止しているのでフック係止に関しては問題は無い。フック係止部Ａ２，Ｂ２，Ｃ２，Ｄがこの様な位置関係にあるため裏蓋30はカメラ本体10にバランスよく装着されることになり、前述したパトローネの取り出し時にフック係止部Ｃ２のフック係止のみを外すことにより裏蓋30を溝32で折り曲げた際に、裏蓋30は溝32より左側の３ケ所のフック係止部Ａ２，Ｂ２，Ｄにより本体10にフック係止されているので裏蓋30は溝32の位置で容易に折り曲げることが出来る。
【００５０】
このように本カメラにおいては裏蓋とカメラ本体とのフック係止部４ケ所のうちの１ケ所のフック係止を外し裏蓋を溝部で折り曲げてパトローネ室側を開放することによってパトローネは容易に取り出せるようになっている。
【００５１】
そしてこのように裏蓋は３方向以上でカメラ本体に係止されているので裏蓋の取付は専用治具が必要でユーザーは容易には裏蓋の着脱は出来ず従ってフィルムの交換も出来ない。
【００５２】
このようにしてパトローネの取り出された本カメラは、裏蓋が取り付けられた状態でメーカーサイドに送られ裏蓋はここにおいて残りの３ケ所のフック係止を外して取り外され、更にカメラとしての機能、性能がチェックされる。そして、合格したカメラには新しい未露光のフィルムが巻き込まれたパトローネが後述する装填方法によって装填され、新しい裏蓋が装着されそして直ちに撮影可能の状態となってユーザーに提供されることになる。
【００５３】
前述のように、裏蓋は現像所でパトローネが取り出された後メーカーサイドにおいて取り外される迄はカメラ本体に取り付けられた状態となっている。
【００５４】
従って、パトローネが取り出されて半開きの状態となった裏蓋が現像所で或いは現像所からメーカーサイドに戻って来る迄の間でカメラ本体より簡単に外れてしまうようなことであると裏蓋が散逸することになり資源再利用の上から問題となることである。但し本実施例の場合、パトローネを取り出した後でも特に３ケ所で裏蓋は本体に係止しているため簡単に外れてしまうようなことは無い。
【００５５】
このように、裏蓋とカメラ本体の係止部はまず４ケ所のうちの１ケ所が現像所で外されパトローネが取り出される。そしてメーカーサイドに送られて来てここで残りの３ケ所の係止部が外されて裏蓋はカメラ本体から外されることになるわけである。すなわち、裏蓋の交換のための裏蓋の取り外しが行なわれるわけである。そしてこのフック係止部は４ケ所以上あっても良くパトローネを取り出す時の係止部の外しは１ケ所以上でも良い。またカメラ本体は再使用するが裏蓋は１回のみ使用するので裏蓋をカメラ本体にフック係止する本体側の個所は傷みやすくなる。従って裏蓋の樹脂材の材質はカメラ本体の材質より軟質の材料が好ましい。
【００５６】
またパトローネの取り出しは必らずしも裏蓋を折り曲げて取り出す方法に限らず外殼部品を折り曲げて取り出しても良く例えば側壁や底面壁を折り曲げて取り出しても良い。
【００５７】
なお、前記のフィルム巻上機構50、セクタチャージ機構60、フィルムカウンタ機構70の各細部について次に説明する。
【００５８】
図３は前記の各機構部をカメラの背面側より見た角度で示したもの、図４はフィルムが巻き込まれたパトローネとスプールをカメラ本体に挿入する方向側より見た角度で示したものである。
【００５９】
前記カメラ本体10には、露光部である画面枠16を挟んで両側の同一平面内に、フィルム巻取用およびフィルム装填用の２つの収納室としてパトローネ室15Ａおよびスクロール室15Ｂが設けられていて、図４に示す収納容器であるパトローネＰ１に巻き込まれたＪ135フィルムＦが装填されるようになっている。
【００６０】
本実施例の本カメラに使用されるフィルムＦは、一般のカメラ同様ロールフィルムＪ135や若干薄手の130〜140μmのロールフィルムを、パトローネを収納容器として予め暗室内等でパトローネＰ１のスプールＳ１にその端部を固定して所定駒数が撮影可能の長さ巻き込み、パトローネＰ１のフィルム引き出し口からは一定の長さフィルムが出た状態となっている。この状態のフィルムをカメラに装填することになるが装填方法について次に述べる。
【００６１】
パトローネＰ１をパトローネ室15Ａに、パトローネＰ１のスプールＳ１が巻上用フォーク52の二叉部に係合する様に装填する。一方、スプールＳ２もスクロール室15Ｂに挿入する。そして、本実施例においてはフィルムＦのフィルムノッチＦＮの先端が、下側レール面の下部の指標17Ａに合う迄フィルムＦを引き出し、フィルムＦの先端をスプールＳ２のスリットＳＬに差し込んでフィルムＦのパーフォレーションＰを爪Ｈに係止する。なお、フィルムノッチＦＮはフィルム先端のベロ部に設けた数個の穴によりフィルムの乳剤ロット番号等を表示するようにしたものである。
【００６２】
次に、裏蓋30を被せて蓋をし光密にする。そして、この状態の本カメラをフィルム巻取装置に取り付け、フィルムＦ全部（但し他端がパトローネＰ１のスプールＳ１から離脱しない範囲で）をスクロール室15ＢのスプールＳ２に巻き取ってフィルムの装填は終ることになる。すなわち、この様にフィルムＦを装填することによりフィルムＦは撮影毎に順次パトローネＰ１の中に巻き込まれることになり、所定駒数の撮影が終了した後本実施例においては２駒の空送りを行なうと、フィルムＦの先端部はパトローネ内に巻き込まれることなく必要長さを残して撮影済みフィルムはパトローネＰ１の中に巻き込まれることになる。従って、このパトローネは明室において本カメラから取り出すことが出来る。
【００６３】
次に、本体部の機構を説明する。
【００６４】
前記カメラ本体10には撮影用レンズ12を始めとするフィルム巻上機構50、セクタチャージ機構60、それにフィルムカウンタ機構70の主要機構が組み込まれている。
【００６５】
まず、フィルム巻上機構、セクタチャージ機構の説明を行う。
【００６６】
51はフィルム巻上ノブで、前述の様に装填されたフィルムＦはフィルム巻上ノブ51を反時計方向に回すことによって巻き上げられる。フィルムＦのパーフォレーションＰと噛み合っている８枚歯のスプロケット歯車54と同軸の、下部に扇形カム部55Ｂを有するカム55は、フィルムの巻上げによって反時計方向に丁度１回転する様になっている。
【００６７】
すなわち、フィルムはスプロケット歯車の歯数である８ヶのパーフォレーションの長さを１駒として巻き上げられ、駒サイズはいわゆるフルサイズの駒サイズで24×36mmである。
【００６８】
カム55の反時計方向の回転により、前述の様に当然のことながら扇形カム部５５Ｂも反時計方向に回転し、その過程で扇形カム部55Ｂによりチャージレバー61を、チャージレバー軸63を回転軸として反時計方向に付勢するチャージレバーバネ64のばね力に抗して時計方向に回転し、チャージレバー61に設けられた三角形状のケトバシ61Ｃにより、セクタレバー65の立上り部65Ｂを押圧し、やがて立上り部65Ｂを乗り越えて図示の状態の様にセクタチャージ機構をチャージする。
【００６９】
セクタレバー65のピン65Ｃとカメラ本体10に設けたピン18Ｃの間にはセクタバネ67が張設してあり、セクタバネ67による引張力により、セクタレバー65の長穴を摺動回動自在に案内するカメラ本体10に設けたピン18Ｂに前記長穴の左端を当接し、且つセクタレバー65に設けられた腕板65Ｄをカメラ本体10に設けたピン18Ｅに当接する様になっている。またカメラ本体10に設けたセクタピン18Ｄにより軸支されたセクタ66を作動するセクタ駆動ピン65Ａがセクタ66の二叉部に挿入されている。
【００７０】
後述する様に、撮影終了後のカムストッパ62の突出部62Ｄは、カム55の溝部55Ａより抜けており、巻上ストッパ57の腕部57Ａは、図示の状態から変化してチャージレバー61の腕部61Ａ及びカムストッパ62の腕部62Ａの各エッジより外れ、時計方向に付勢する巻上ストッパバネ58のばね力により前記腕部61Ａの端面に当接している。そして、フィルム巻上げによりカム55が前述の様に丁度１回転してカム55の溝部55Ａが最初の位置に戻ると、チャージレバーバネ64の先端水平部によるカムストッパ62を時計方向に付勢するばね力によりカムストッパ62の突出部62Ｄは前記溝部55Ａに飛び込むことになる。そして、この飛び込み作動により、この時点ではカムストッパ62の腕部62Ａの端面に係止されていた巻上ストッパ57の腕部57Ａの係止が外れる。
【００７１】
フィルム巻上ノブ51の外周円筒面はラチェット歯車となっており、前記係止の外れにより巻上ストッパ57の先端のＶ形突起部が、巻上ストッパバネ58の前記ばね力により前記ラチェット歯車51Ａの歯溝にとび込み、フィルム巻上ノブ51の反時計方向の巻上げ回転を阻止することになる。すなわち、フィルムの巻き上げ完了によりフィルム巻上ノブ51はそれ以上の巻上回転を阻止されることになる。
【００７２】
また、カメラ本体10には樹脂材の弾性を利用した逆転防止爪53の先端が前記ラチェット歯車51Ａに圧接されており、フィルム巻上ノブ51の巻上反対方向の回転は阻止する様になっている。
【００７３】
前カバー20のレリーズ釦25を押すことによりレリーズ釦25の裏面に植設されたレリーズ釦ピン25Ａの先端は矢印Ａ方向に作動する。すなわち、前カバー20をカメラ本体10に取り付けた時は、図において巻上ノブ51上に記した矢印Ａ方向のレリーズ釦ピン25の先端の作動により巻上ストッパ57は巻上ストッパバネ58の前記ばね力に抗して反時計方向に回転する。そして、巻上ストッパ57の腕部57Ａの端面よりチャージレバー61の腕部61Ａのエッジが外れてチャージレバー61が、従ってカムストッパ62がチャージレバーバネ64のばね力により反時計方向に回転する。
【００７４】
そして、セクタバネ67より強力なチャージレバーバネ64のばね力によるチャージレバー61の反時計方向の回転により、チャージレバー61の前記ケトバシ61Ｃは、セクタレバー65の立上り部65Ｂをたたき、そして立上り部65Ｂから外れる。従ってセクタレバー65はセクタレバーの長溝中のピン18Ｂを中心に、セクタバネ67の引張力に抗して時計方向に回転し、そしてセクタバネ67の引張力により元に戻る。従って、セクタ駆動ピン65Ａはセクタ66をセクタピン18Ｄを中心に回転してフィルムに露光を与えた後閉じることになる。
【００７５】
一方、カムストッパ62も前記の様にチャージレバー61と一緒に反時計方向に回転し、カムストッパ62の突出部62Ｄはカム55の溝部55Ａより抜けることになる。そこでレリーズ釦の押圧を止めても、巻上ストッパ57の腕部57Ａは巻上ストッパバネ58のばね力により時計方向に付勢されているが、チャージレバー61の腕部61Ａの端面に阻止されて停止し、巻上ストッパ57の先端のＶ形突起部は巻上ノブ51のラチェット歯車51Ａを係止しない。従って次のフィルム巻上げが可能となる。
【００７６】
次に、フィルムカウンタ機構について説明する。
【００７７】
72は前述の様に、スプロケット歯車54と一体的に回転するカム55に植設されたカム軸56の上方先端に設けられたＶ溝56Ａと噛み合い、フィルムが１駒巻き上げられカム軸56が１回転する毎に１歯ずつ時計方向に回転する指数盤歯車である。
【００７８】
指数盤歯車72の上面には指数盤71が一体成形品として印刷されていて、フィルムの撮影可能残数を前カバー20の上面のフィルムカウンタ窓26より表示する様になっている。
【００７９】
指数盤歯車72の下面には突出部72Ａが設けられ、所定駒数の撮影が終了後の次のフィルム巻き上げにより、前記突出部72Ａはチャージレバー61の突出部61Ｅとカムストッパ62の別の突出部62Ｅの間に割って入り込む様になっている。そして、突出部72Ａが両突出部61Ｅ、62Ｅの間に入り込むことにより、フィルムが１駒分巻き上げられ、カム55が１回転してセクタのチャージが終了しても前記両突出部61Ｅ、62Ｅが指数盤歯車72の突出部72Ａに動きを阻止されて、チャージレバー61は作動出来ないしカムストッパ62の突出部62Ｄもカム55の溝部55Ａには飛び込めないことになる。そして、カムストッパ62の腕部62Ａの端面に巻上ストッパバネ58の前記ばね力により巻上ストッパ57の腕部57Ａが当接し、巻上ストッパ57の先端のＶ形突起部はラチェット歯車51Ａを係止しないし、またチャージレバー61を作動してセクタを開閉してフィルムに露光を与えることも出来ない。
【００８０】
この様にして、本実施例においては２駒のフィルムの空送りが行なわれると、指数盤歯車72は２歯分回転するが、この回転により指数盤歯車72の突出部72Ａは、前記突出部61Ｅをいぜん押さえてチャージレバー61の動きは阻止するが、カムストッパ62の別の突出部62Ｅからは外れる様になっている。従って前記突出部62Ｄはカム55の溝部55Ａに飛びこみ、巻上ストッパ57の係止が外れ巻上ストッパ57による巻上ノブ51の係止が行なわれ、フィルムの巻上は出来なくなる。そして前述の様にチャージレバー61の動きは阻止されているのでフィルムへの露光も出来ない。この様にしてフィルムの先端のベロがパトローネの中に巻き込まれてしまうことは防止され必要長さのベロが確保される。従ってカメラのコンパクト化のため、外径寸法の小さいパトローネを使用しても現像時のパトローネからのフィルム引き出しに問題はない。
【００８１】
なお、本レンズ付フィルムユニットにおいては、パトローネの色を青、白、黄、茶等変えたり、パトローネ上に番号を１，２，３等を印したりして、リユースのために品質保証のためのチェックを終えたカメラ本体に２度目の使用では白色のパトローネや「２」と印したパトローネを装填する。これによってラボでパトローネを取出した時、そのフィルムを撮影したカメラが第１世代（新品）第２世代（第１回目リユース品）第３世代（第２回目リユース品）・・・等が容易に判明可能となる。そしてこの方法によって撮影した写真のでき上がりの品質、特徴とリユース品の品質との関係が判かることになるので大変好都合である。そしてリユースのための検査の記録データと照合等をコンピュータで行ないユーザーに最も良い写真を提供するようにできるものである。
【００８２】
【発明の効果】
本発明により、外殻部材を簡単に折り曲げて開放することができて、パトローネの取り出しが容易に行えるレンズ付フィルムユニットが提供されることとなった。
【図面の簡単な説明】
【図１】本発明に基づくレンズ付フィルムユニットの外観図。
【図２】本発明に基づくレンズ付フィルムユニットの構成を示す展開図。
【図３】本発明に基づくレンズ付フィルムユニットのカメラ本体、前カバー等の各機構を背面側より見た斜視図。
【図４】本発明に基づくレンズ付フィルムユニットに使用されるフィルムの斜視図。
【図５】本発明に基づくレンズ付フィルムユニットの裏蓋とカメラ本体のフック係止部を背面側より見た斜視図。
【図６】本発明に基づくレンズ付フィルムユニットからパトローネを取り出す説明図。
【図７】本発明に基づくレンズ付フィルムユニットの裏蓋とカメラ本体のフック係止部を背面側より見た斜視図。
【符号の説明】
10  カメラ本体
10Ｋ  爪
30  裏蓋
30Ｃ  穴
32  溝
Ａ１，Ｂ１，Ｃ１，Ａ２，Ｂ２，Ｃ２，Ｄ  フック係止部
【図１】
0003709936.tif 000002
【図２】
0003709936.tif 000003
【図３】
0003709936.tif 000004
【図４】
0003709936.tif 000005
【図５】
0003709936.tif 000006
【図６】
0003709936.tif 000007
【図７】
0003709936.tif 000008